(57)【要約】楽器と共に使用するためのピックが提供され、このピックは、少なくとも３つの層、すなわち長いベクトルを有する上層と、長いベクトルを有する下層と、アモルファス層とを含み、長いベクトルはピックの縦軸に整列され、上層及び下層はアモルファス層を挟んでこれに接着されて、可撓性で弾力性のあるピックを提供する。ピックは、互いに垂直な２つのピック・ポイントを有することができる。長いベクトルの方向がピックの感触を調整するので、第１のピック・ポイントはより硬くなり、第２のピック・ポイントはより柔軟になる。これはまた、実質的に同じ厚さであるにも関わらず、第１のピック・ポイントをより厚く感じさせ、第２のピック・ポイントをより薄く感じさせる。 これらの機能は、音色とアタックの違いとして現れる。【選択図】図９
2018502338.tif 000002
【特許請求の範囲】
【請求項１】
楽器と共に使用するためのピックであって、少なくとも３つの層、すなわち長いベクトルを有する上層、長いベクトルを有する下層、及び少なくとも１つのアモルファス層を備え、前記長いベクトルは前記ピックの長手方向軸に整合されているか、又は前記ピックの前記長手方向軸に垂直にされており、前記上層と前記下層とは、少なくとも１つのアモルファス層を挟んで、このアモルファス層に付着しているピック。
【請求項２】
請求項１のピックにおいて、前記上層と前記下層は、少なくとも１つの木材のベニアであり、各木材は粒子を有し、この粒子は前記長いベクトルを規定するピック。
【請求項３】
請求項１又は２のピックにおいて、前記アモルファス層は、プラスチックポリマー又は紙材からなるピック。
【請求項４】
請求項２又は３のピックにおいて、木材ベニアの内層と、前記上層と前記内層と前記下層と前記内層との間に配置された２つのアモルファス層とを更に備えるピック。
【請求項５】
請求項１乃至４の何れか一項に記載のピックにおいて、前記長いベクトルは前記ピックの縦軸と整列しているピック。
【請求項６】
請求項１乃至４の何れか一項に記載のピックにおいて、前記長いベクトルは、前記ピックの縦軸に対して垂直であるピック。
【請求項７】
請求項１乃至６の何れか一項に記載のピックにおいて、前記上層と前記下層とは、異なる可撓性を有する異なる木材であるピック。
【請求項８】
請求項１乃至６の何れか一項に記載のピックにおいて、前記上層及び前記下層がカエデであるピック。
【請求項９】
請求項１乃至６の何れか一項に記載のピックにおいて、前記上層、前記内層及び前記下層がクルミであるピック。
【請求項１０】
請求項１乃至９の何れか一項に記載のピックにおいて、少なくとも１つのアモルファス層が、合成繊維紙であるピック。
【請求項１１】
請求項１乃至９の何れか一項に記載のピックにおいて、少なくとも１つのアモルファス層がポリエチレンテレフタレート層であるピック。
【請求項１２】
請求項１乃至９の何れか一項に記載のピックにおいて、少なくとも１つのアモルファス層がポリ酢酸ビニル層であるピック。
【請求項１３】
請求項１乃至１２の何れか一項に記載のピックにおいて、前記ピックは、ｉ）本体を備え、この本体は、遠位端と、近位端と、第１の縁と、第２の縁とを含み、第１と第２の縁とは前記前記遠位端に収束して第１のピック・ポイントを規定し、前記本体はさらに第１の側部と第２の側部とを含み、前記ピックはさらにｉｉ）フィンを備え、このフィンは前記本体に連続して第１の縁から外側へ延出して、第１のピック・ポイントに垂直な第２のピック・ポイントを規定するピック。
【請求項１４】
請求項１乃至１２の何れか一項に記載のピックにおいて、前記ピックは、ｉ）本体を備え、この本体は、遠位端と、近位端と、第１の縁と、第２の縁とを含み、第１と第２の縁とは前記前記遠位端に収束してピック・ポイントを規定し、前記本体はさらに第１の側部と第２の側部とを含むピック。
【請求項１５】
請求項１２又は１３のピックにおいて、前記ピックの前記本体における中央開口をさらに含み、この中央開口は第１の側部から第２の側部へ前記本体を通じて延出し、かつ、不規則な外周を有するピック。
【請求項１６】
請求項１３乃至１５の何れか一項に記載のピックにおいて、スロットと、前記近位端の近傍における開口とをさらに含み、前記スロットは前記近位端から前記開口へ延出して前記開口へ連続するピック。
【請求項１７】
請求項１３乃至１６の何れか一項に記載のピックにおいて、硬質又は軟質の尖端コーティングをさらに含むピック。
【請求項１８】
請求項１７のピックにおいて、前記硬質コーティングは、少なくとも１つの金属とプラスチックポリマーとの混合物を含むピック。
【請求項１９】
請求項１８のピックにおいて、前記少なくとも１つの金属はグラファイトであるピック。
【請求項２０】
請求項１８のピックにおいて、前記軟質コーティングはシリコーンであるピック。
【請求項２１】
楽器と共に使用するためのピックであって、前記ピックは、本体を備え、この本体は、遠位端と、近位端と、第１の縁と、第２の縁とを含み、その第１の縁と第２の縁とは前記遠位端へ収束して、ピック・ポイントを規定し、前記本体はさらに第１の側部と第２の側部とを含むピックにおいて、前記ピックは、少なくとも２つのベニア層と、この少なくとも２つのベニア層の間に介在されてこれらに接着された少なくとも１つのアモルファス層とを含み、前記ベニアの各々の層は、長いベクトルを有し、少なくとも１つの長いベクトルは、前記本体の縦軸に平行に整列していることを特徴とするピック。
【請求項２２】
請求項２１のピックにおいて、前記ピックの前記本体における中央開口をさらに含み、この中央開口は、前記本体を通じて第１の側部から第２の側部へ延出し、かつ、不規則な外周を有するピック。
【請求項２３】
請求項２１又は２２のピックにおいて、スロットと、前記近位端の近傍における開口とをさらに含み、前記スロットは前記近位端から前記開口へ延出して前記開口へ連続するピック。
【請求項２４】
請求項２１乃至２３の何れか一項に記載のピックにおいて、５つの層からなり、これは長いベクトルを有する上層と、長いベクトルを有する下層と、長いベクトルを有する内層と、第１のアモルファス層と第２のアモルファス層とであり、その２つのアモルファス層は、前記上、中間及び下層の間に配置されているピック。
【請求項２５】
請求項２１乃至２４の何れか一項に記載のピックにおいて、前記近位端の近傍に、スロットと、前記近位端から前記開口で延び、前記開口と連続する開口とをさらに備えるピック。
【請求項２６】
請求項２１乃至２５の何れか一項に記載のピックにおいて、前記内層、前記上層及び前記下層が、クルミのベニアであるピック。
【請求項２７】
請求項２１乃至２６の何れか一項に記載のピックにおいて、前記アモルファス層が紙材料であるピック。
【請求項２８】
請求項２１乃至２７の何れか一項に記載のピックにおいて、硬質又は軟質の尖端コーティングをさらに含むピック。
【請求項２９】
請求項２８のピックにおいて、前記硬質コーティングは、少なくとも１つの金属とプラスチックポリマーとの混合物を含むピック。
【請求項３０】
請求項２９のピックにおいて、前記少なくとも１つの金属はグラファイトであるピック。
【請求項３１】
請求項２８のピックにおいて、前記軟質コーティングはシリコーンであるピック。
【請求項３２】
楽器と共に使用するためのピックであって、このピックは、長いベクトルを有する木材ベニア層と、この木材ベニア層に接着された第１の構造化アモルファス層とを備え、前記長いベクトルは前記ピックの長手軸に整列するか又は前記ピックの前記長手軸に垂直であるピック。
【請求項３３】
請求項３２のピックにおいて、第１の構造化アモルファス層は、プラスチックポリマーを含むピック。
【請求項３４】
請求項３３のピックにおいて、前記プラスチックポリマーは、ポリオキシメチレンであるピック。
【請求項３５】
請求項３２乃至３４の何れか一項に記載のピックにおいて、第２の構造化アモルファス層をさらに備え、第１と第２との構造化アモルファス層は前記木材ベニア層を挟んでこれに接着されているピック。
【請求項３６】
請求項３５のピックにおいて、第２の構造化アモルファス層は、プラスチックポリマーを含むピック。
【請求項３７】
請求項３６のピックにおいて、前記プラスチックポリマーがポリオキシメチレンであるピック。
【請求項３８】
販売時点管理カードであって、この販売時点管理カードは、少なくとも１つの木製ベニア層と、この木製ベニア層に接着された少なくとも１つのアモルファス層とを備え、前記カードは、カード本体と、複数のピックと、複数のステムとを含み、各々のピックが前記カード本体にステムにより保持され、各々のピックが、前記ステムによって遮断される切り欠きにより前記カード本体から離隔される販売時点管理カード。
【請求項３９】
請求項１乃至３７の何れか一項に記載のピックを含む販売時点管理カード。
【発明の詳細な説明】
【技術分野】
【０００１】
関連出願の相互参照
この出願は、２０１５年１月１５日に出願された米国仮特許出願第６２／１０３，６１８号に関連し、その利益を主張する。その優先権特許出願は、参照によりその全体が本明細書に組み込まれている。
【０００２】
本技術は、長いベクトルを有する少なくとも２つの層と、アモルファスである少なくとも１つの層とを含み、これらの層が互いに積層されたプレクトラム若しくはピックである。さらに詳しくは、本技術は、使用時に、弦に垂直な長いベクトルと弦に平行な長いベクトルを有する２つの尖端を提供する積層ピックである。
【背景技術】
【０００３】
ギターピックは、ミュージシャンがギターを弾くときによく使われる。ピックは、親指と人さし指との間に保持される。丸い近位端及び尖った遠位端がある。その尖った遠位端は、ギターの弦を逸らせて解放するために使用される。ピックは一般的に合成材料でできており、剛性又は柔軟性がある。幾つかの設計は、設計特徴として複数の円形開口を含む。米国特許第７,４５９,６２０号に開示されているような他のものは、ピックをギターのペグ及びポスト上に保管するようにスロット状の開口である中央開口を与える。ギターピックは、柔軟な合成ポリマー材料から形成され、ギター弦をピックするためのピック・ポイントを有する。ギターピックの本体は、その操作のために親指と人さし指の間に保持するのに充分な大きさである。本体は、滑らかな輪郭の壁を有し、ピック・ポイントから離れるようにスロットが開放された中央開口を有する。中央開口及びスロットは、ピックの柔軟性と一緒に、収納及び取り出しのためにギターのペグ及びポストの上にスナップ係合及び解除するのに充分である。その滑らかな輪郭の壁を有する開口はまた、ミュージシャンがピックをしっかりと快適に把持することを可能にするとされている。ピックを構成する際に単一の層を使用することは、劣った音、摩耗、及び音色をもたらす。さらに、スロット開口は、ピックの強度を著しく低下させ、スロットによって規定される軸に沿って破損する傾向がある。さらに、開口上の滑らかな輪郭エッジは、使用者がピックを把持することができるようには充分に寄与しない。
【０００４】
保管及び滑りの減少に対する別の試みは、米国特許第６,８３５,８８１号に開示されている。ギターピックは、キーリングに選択的に取り付けるためのキーリング穴を有し、また、ピックがギターを弾くのに使われる間にピックがユーザーの指から滑り落ちるのを防止するために、滑りのない材料で構成された中央に位置するディスクを有する。ディスクはピックの前面と概ね面一である。キーリング穴は、ピックの前面と後面の両方に、隆起したブッシングで裏打ちされており、繰り返し使用した後にキーリング穴にひび割れや割れが生じないようにしている。ギターを演奏するために使用されていないとき、ギターピックは、ピックが誤って配置されるのを防ぐために、キーリングに保管されてもよい。開口は、ユーザがピックを掴むのを助けるためのものではない。ディスクは、ユーザがピックを掴むのを助けると考えられるが、ディスクに使用される材料は開示されていない。ピックの音、柔軟性、音色及び磨耗の質を改善する試みはなされていない。
【０００５】
合成素材から作られたピックは、劣った音を出す傾向がある。これは、ピック・エッジの柔軟性を変更するステップを採ることによって改善することができる。米国特許第４,２２８,７１９号では、楽器の弦に選択的に係合し、それぞれ他の楽器とは異なる程度の柔軟性を有する複数の丸い隅部を有するピックが開示されている。弾力性のあるプラスチックは、遊びコーナーの柔軟性が異なるように、異なるサイズの穴を有する少なくとも２つの遊びコーナーに隣接する穴を有する単一の部品に成形される。ピックの音、柔軟性、音色及び磨耗の質を改善する試みはなされていない。
【０００６】
ウッドピックは優れた音色と音量を提供するが、厚い場合を除いてひび割れする傾向がある。ピックが厚くなればなるほど柔軟性が低下し、音色や音量の点での利点が失われる。合板のピックは脆くて容易に亀裂が入る。
【０００７】
米国特許出願第２０１４００９０５４０号は、弦楽器のためのピックを開示しており、ピックは、実質的に三角形の形状と、尖端に向かって収斂する２つの側縁とを有する。
尖端は、弦楽器のストラミングやピッキングに使用できる。突起は、２つの側縁のうちの一方から延び、その遠位端に配置された拡大ヘッドを含む。拡大した頭部は、楽器の弦を叩いたり打ったりするのに使用することができる。使用時には、ストラミング又はピッキングのために上端部に沿ってピックを把持してもよく、使用者が他方の側端部を把持している間に頭部を突出部上に置いて楽器の弦に接触させてもよい。ピックはプラスチックのポリマー又はナイロン製である。ピックの音、柔軟性、音色及び磨耗の質を改善する試みはなされていない。
【０００８】
米国特許出願第２０１３０１０４７２２号は、第１のローブと、第２のローブと、第３のローブと、凹状のエッジと、凸状のエッジとを含む多目的プレクトラムを開示している。ユーザの手の親指と人さし指との間の膜に当接する窪んだエッジを有するプレクトラムを把持することにより、ユーザは、第３のローブ又は凸縁の何れかを有する弦楽器の弦を弾くか、又はピックすることができる。また、ユーザは、第１のローブと第２のローブとを用いて、弦楽器の１つ以上の弦を弾くことができるように把持することができる。ピックの音、柔軟性、音色及び磨耗の質を改善する試みはなされていない。
【０００９】
米国特許出願第２０１００１８０７４８号は、ギター、ベースギター、ウクレレ、マンドリン又は他の弦楽器の弦を弾く若しくはピックするのに使用されるプレクトラム若しくはピックを開示している。このピックは、所定の位置に貫通する開口を有する。そのような開口は、ユーザがそのようなピックを掴み、調節することを可能にする把持手段を提供する。このデバイスは、演奏中にユーザーが自分のピックを落としたり、紛失したりする可能性を低くする。開口は指を親指に接触させるので、ミュージシャンはピックをより良く管理することができる。グリップを改善するために、開口を隆起で囲むことができる。ピックはプラスチック、金属又はそれらの組み合わせから製作されているが、どのような組み合わせを使用するかは明らかにされていない。ピックの音、柔軟性、音色及び磨耗の質を改善する試みはなされていない。
【００１０】
ＤＥ１０２００６０５４２５２は広範囲の開口形状を有するプレクトラムを開示している。これは、ユーザーのグリップを改善する。また、３層からなるプレクトラムも開示されている。内層は、潜在的に貴石、又はゲル又はゴム部材であると開示されている。内層は、幾つかの異なる材料で作られた中央支持層として開示されている。さらに、内側の層は、異なる色の場合、合板のように見えることができる（しかし合板ではない）ことが開示されている。特に、鋼（銀、白金）及び金の層を使用することができる。貴金属もまた、ジュエリーが使用可能な機能要素であるように適している。金又は他の貴金属が特別な有利な音を発生させることが知られている。これらのプレクトラムの目的は、使用者のグリップを改善し、プレクトラムを装飾又はジュエリーとして機能させることである。長いベクトル方向又は長いベクトル層を選択することによって、ピックの音、柔軟性、音色及び磨耗の質を改善することには殆ど又は全く注意が払われていない。
【００１１】
必要なのは、ユーザーにとって優れたグリップを提供し、柔軟性があり、非常に良好な「着用」属性を有し、カスタマイズすることができる積層ピックである。好ましくは、積層されたピックの層は、層の粒子が互いに対して特定の配向を有するように配置される。ピックの有効厚さが、結晶粒の方向を変更することによって変更されることができることも好ましい。好ましくは、ピックは、異なる音色又はアタックを与える少なくとも２つのピック接触尖端又は接触面を提供する。好ましくは、ピックの尖端は、より硬い音が望まれる場合には柔らかい音が望まれるか、又はより硬いウクレレとの使用のために尖端が柔らかくなるような層に浸漬されるか他の方法でコーティングされる。ピックは、ピックの完全性に影響を与えずに、ピックを弦に掛けるための小さなスロット開口を有することが望ましい。また、ピックは販売時点管理（ｐｏｉｎｔ−ｏｆ−ｓａｌｅ）カードに提供されることが好ましい。
【発明の概要】
【００１２】
本技術は、アモルファス層と結合した木材ベニアの層の特定の配向を利用して、柔軟性、摩耗性、及び音色に優れたピックを提供する。粒子の平行な配向は非常に柔軟なピックをもたらし、垂直配向はより剛性をもたらす。異なる密度又は硬度を有する木材の層を使用することにより、異なる特性を有する接触面が可能になる。例えば、第１側部に柔らかい木材を使用し、第２側部に硬い又は濃い木材を使用すると、第１側部に強いアタックを、第２側部に穏やかなアタックを提供する。ピックのさらなる属性は、複数のピック・ポイントを有することによって達成される。本体の端部に第１のピック・ポイントを有し、本体の側に第２のピック・ポイントを有し、木材ベニアの特定の向きに結合すると、異なる特性を有するピック・ポイントが得られる。例えば、木目がピック本体の縦軸に沿って配向されている場合、第１のピック・ポイントは第２のピック・ポイントより剛性が高い。同様に、ピックの「有効厚さ」は、粒子の方向を変えることによって変更することができる。結晶粒が縦軸に平行である場合、ピックはより厚い有効厚さを有し、縦軸に垂直であれば、有効厚さはより薄くなる。ピック・ポイントをコーティングすることにより、ピックの特性を、木材の特性を保持しながら、より穏やかなアタック又はより強いアタックに変更することができる。
【００１３】
一実施形態では、楽器と共に使用するためのピックが提供され、そのピックは、少なくとも３つの層、すなわち長いベクトルを有する上層、長いベクトルを有する下層、及び少なくとも１つのアモルファス層を含み、ピックの長手方向軸に沿って、上層及び下層が少なくとも１つのアモルファス層に挟まれて接着され、可撓性で弾力性のあるピックを提供する。ピックは、互いに垂直な２つのピック・ポイントを有することができる。長いベクトルの方向がピックの感触を調節するので、最初のピック・ポイントはより硬くなり、２番目のピック・ポイントはより柔軟になる。これはまた、実質的に同じ厚さであるにもかかわらず、第１のピック・ポイントをより厚く感じさせ、第２のピック・ポイントをより薄く感じさせる。これらの機能は、音色とアタックの違いとして現れる。
【００１４】
別の実施形態では、楽器と共に使用するためのピックが提供され、そのピックは少なくとも３つの層、すなわち長いベクトルを有する上層、長いベクトルを有する下層、及び少なくとも１つのアモルファス層を含み、長いベクトルはピックの長手方向軸に整列するか、又はピックの長手方向軸に垂直をなし、上層及び下層は少なくとも１つのアモルファス層を挟んでこれに付着している。
【００１５】
ピックにおいては、上層及び下層は、少なくとも１つの木材のベニアであり、各木材は、粒子を有し、粒子は、長いベクトルを規定する。
【００１６】
ピックにおいては、アモルファス層は、プラスチックポリマー又は紙材料を含むことができる。
【００１７】
ピックはさらに、木材ベニアの内層と、上層と内層との間、下層と内層との間に挟まれた２つのアモルファス層を含むことができる。
【００１８】
ピックにおいては、長いベクトルがピックの縦軸と整列される。
【００１９】
ピックにおいては、長いベクトルがピックの縦軸と垂直である場合がある。
【００２０】
ピックにおいては、上層と下層とは、異なる柔軟性を有する異なる木材であってもよい。
【００２１】
ピックにおいては、上層と下層がカエデであってもよい。
【００２２】
ピックにおいては、上層、内層及び下層がクルミであってもよい。
【００２３】
ピックにおいては、少なくとも１つのアモルファス層は、合成繊維紙であってもよい。
【００２４】
ピックにおいては、少なくとも１つのアモルファス層は、ポリエチレンテレフタレート層であってもよい。
【００２５】
ピックにおいては、少なくとも１つのアモルファス層は、ポリ酢酸ビニル層であってもよい。
【００２６】
ピックは、ｉ）本体であり、遠位端と、近位端と、第１の縁部と、第１のピック・ポイントを画定するために第１及び第２のエッジが遠位端に収束する第２のエッジと、第１の側部と、及び第２の側部とを含む本体と、ｉｉ）フィンであり、このフィンは、前記本体と連続し、前記第１のエッジから外側に延びて前記第１のピック・ポイントに垂直な第２のピック・ポイントを画定するフィンとを備える。
【００２７】
ピックは、ｉ）本体であり、遠位端と、近位端と、第１の縁部と、ピック・ポイントを画定するために第１及び第２の縁部が遠位端に収束する第２の縁部と、第１の側部と、及び第２の側部とを有する本体からなる。
【００２８】
ピックは、ピック本体内の中央開口をさらに備え、この中央開口は本体を第１の側部から第２の側部へ貫通し、不規則な周囲を有する。
【００２９】
ピックは、近位端の近傍にスロット及び開口をさらに備え、スロットは、近位端部から開口まで延在し、開口と連続している。
【００３０】
ピックは、硬質又は軟質の尖端コーティングをさらに含むことができる。
【００３１】
ピックにおいて、硬質コーティングは、少なくとも１種の金属とプラスチックポリマーとの混合物を含むことができる
【００３２】
ピックにおいては、少なくとも１つの金属はグラファイトであってもよい。
【００３３】
ピックにおいては、軟質コーティングはシリコーンであってもよい。
【００３４】
別の実施形態では、楽器と共に使用するためのピックが提供され、ピックは、本体を含み、この本体は、遠位端と、近位端と、第１の縁部と、第２の縁部であり、ピック・ポイントを画定するために第１及び第２の縁部が遠位端に収束する第２の縁部と、第１の側部と、第２の側部とを含み、このピックは、少なくとも２つのベニア層と、このベニアの少なくとも２つの層の間に介在してこれらに接着された少なくとも１つのアモルファス層とを含み、ベニアの各層は、長いベクトルと、体の縦軸に平行に整列した長いベクトルを有する。
【００３５】
ピックはピック本体内の中央開口をさらに備え、中央開口は本体を第１の側から第２の側に貫通し、不規則な周囲を有する。
【００３６】
ピックは、近位端の近傍にスロット及び開口をさらに備えることがあり、スロットは、近位端部から開口まで延在し、開口と連続している。
【００３７】
ピックは、５つの層を含むことがあり、すなわち、長いベクトルを有する上層、長いベクトルを有する下層、長いベクトルを有する内層、第１のアモルファス層及び第２のアモルファス層であり、その２つのアモルファス層は、上層、中層及び下層の間に介在されている。
【００３８】
ピックにおいては、内層は、ピック本体の縦軸に垂直な長いベクトルを有し、上層及び下層は、それぞれ、本体の縦軸に平行な長いベクトルを有する。
【００３９】
ピックにおいては、内層、上層及び下層は、クルミのベニアであってもよい。
【００４０】
ピックにおいては、アモルファス層は紙材料であってもよい。
【００４１】
ピックは、硬質又は軟質の尖端コーティングをさらに含むことができる。
【００４２】
ピックにおいては、硬質被膜は、少なくとも１種の金属とプラスチックポリマーとの混合物を含むことができる。
【００４３】
ピックにおいては、少なくとも１つの金属はグラファイトであってもよい。
【００４４】
ピックにおいては、軟質コーティングはシリコーンであってもよい。
【００４５】
別の実施形態では、楽器と共に使用するためのピックが提供され、このピックは、長いベクトルを有する木材ベニア層と、この木材ベニア層に接着された第１の構造化アモルファス層とを含み、長いベクトルは、ピックの長手方向軸に整列されているか、又はピックの長手方向軸に垂直である。
【００４６】
ピックにおいては、第１の構造化アモルファス層は、プラスチックポリマーを含むことができる。
【００４７】
ピックにおいては、プラスチックポリマーはポリオキシメチレンであってもよい。
【００４８】
ピックは、木材ベニア層を挟んで接着された第１及び第２のアモルファス層と第２の構造化アモルファス層をさらに含んでもよい。
【００４９】
ピックにおいては、第２の構造化アモルファス層は、プラスチックポリマーを含むことができる。
【００５０】
ピックにおいては、プラスチックポリマーはポリオキシメチレンであってもよい。
【００５１】
さらに別の実施形態では、販売時点管理（ｐｏｉｎｔ−ｏｆ−ｓａｌｅ）カードが提供され、この販売時点管理カードは、少なくとも１つの木製ベニア層及び木材ベニア層に接着された少なくとも１つのアモルファス層を含み、複数のピックと複数のステムとを備え、各ピックはステムによってカード本体上に保持され、各ピックはステムによって遮断された切り欠きによってカード本体から分離される。
【００５２】
販売時点管理カードは、上述のピックを含むことができる。
【図面の簡単な説明】
【００５３】
【図１】図１は、本技術の一実施形態の平面図である。
【図２】図２は、図１の技術の中央断面図である。
【図３】図３は、図１の実施形態の概略図である。
【図４】図４は、本技術の一実施形態の断面図である。
【図５】図５は、本技術の別の実施形態の断面図である。
【図６】図６は、本技術のさらに別の実施形態の断面図である。
【図７】図７は、本技術のさらに別の実施形態の断面図である。
【図８】図８は、本技術のさらに別の実施形態の断面図である。
【図９】図９は、本技術の別の実施形態の平面図である。
【図１０】図１０は、図９の技術の中線断面図である。
【図１１】図１１は、本技術の販売時点管理カードの平面図である。
【００５４】
説明：
別に明記しない限り、以下の解釈の規則はこの明細書（詳細な説明、特許請求の範囲及び図面）に適用される。（ａ）本明細書で使用される全ての単語は、状況が必要とするような性別又は数（単数又は複数）であると解釈されるものとする。（ｂ）明細書及び添付の特許請求の範囲で使用されている単数の用語「ａ」、「ａｎ」及び「ｔｈｅ」は、文脈上他に明確に指示されない限り、複数の参照を含む。（ｃ）引用された範囲又は値に適用される先行用語「約」は、測定方法から当技術分野で知られているか又は予想される範囲又は値における偏差内の近似値を示す。（ｄ）「ここに」、「これによって」、「そこに」、「本明細書において」、「前に」、及び「以後」という言葉及び同様の輸入の言葉は、この明細書全体を参照するものであり、他に指定のない限り請求項その他の細分を含む。（ｅ）記述の見出しは便宜上のものであり、明細書の如何なる部分の意味又は構成にも影響を及ぼさない。（ｆ）「又は」及び「任意の」は排他的ではなく、「含む」及び「含にでいる」は限定的ではない。さらに、「備える」、「有する」、「含む」及び「含有する」という用語は、別段の記載がない限り、無制限の用語（すなわち、「含むが、これに限定されない」を意味する）。
【００５５】
記述的なサポートを提供するのに必要な程度まで、添付の特許請求の範囲の主題及び／又は本文は、その全体が参照により本明細書に組み込まれる。
【００５６】
本明細書中の値の範囲の列挙は、本明細書中で別段の指示がない限り、範囲内の各別個の値を個別に指す簡略方法として役立つことを意図しており、各個別値は本明細書に個別に列挙されているかのように、特定の値の範囲が示されている場合、下限の単位の１０分の１までの各介在値は、その範囲の上限と下限との間に明示的に指示しない限り、その記載された範囲内に含まれる。全てのより小さな下位範囲も含まれている。これらのより小さい範囲の上限及び下限も、記載された範囲内の特定の除外された限界を条件として、そこに含まれる。
【００５７】
他に定義されない限り、本明細書で使用される全ての技術用語及び科学用語は、関連技術分野の当業者によって一般的に理解されるのと同じ意味を有する。本明細書に記載された方法及び材料と類似又は均等な任意の方法及び材料も使用することができるが、ここでは許容可能な方法及び材料を記載する。
【００５８】
本明細書中に記載される全ての方法は、本明細書中で他に指示されない限り、又は文脈によって明らかに矛盾しない限り、任意の適切な順序で実施され得る。本明細書で提供される任意の及び全ての例又は例示的な言語（例えば、「など」）の使用は、例示的な実施形態をより良く説明するためのものであり、特許請求される発明の範囲を限定するものではない。明細書中の言語は、主張されていない要素を必須として示すものと解釈されるべきではない。
【００５９】
定義：
長いベクトル：
ファイバー又は粒子の長さに合わせたベクトル。例えば、炭素繊維強化ポリマーの長いベクトルは長繊維と整列しており、実質的に全ての長繊維が１つの特定の配向に配置され、ランダムに配置されていないことに留意されたい。同様に、ガラス繊維強化ポリマーの長いベクトルは長繊維と整列しており、実質的に全ての長繊維が特定の１つの方向に配列され、ランダムに配置されていないことに留意されたい。木材内の長いベクトルは、木材の粒子の長さに揃えられている。長いベクトルは、方向性を定義できるような材料に巨視的な違いがある場合に使用される。
【００６０】
長いベクトル層：
長いベクトル層は、繊維又は粒子の指向性などを識別できる層又はベニアである。これには、天然木、炭素繊維強化ポリマー、及びガラス繊維強化ポリマーベニアが含まれ得るが、これらに限定されない。「非天然」の木材と見なされる配向ストランドボードや、長いベクトルがない炭素繊維やガラス繊維強化ポリマーのベニアも含まれていない。
【００６１】
アモルファス層：
アモルファス層又はベニアは、繊維又は粒子の方向性が決定できない（すなわち、解体された繊維材料）か、又は繊維を有さないものである。それは、紙、厚紙、プラスチックポリマー、ウレタン、シルク、真鍮、ナイロン、ポリオキシメチレン及びパーティクルボードを含むが、これらに限定されない。紙材料は、天然又は合成繊維、例えばセルロース繊維又はプラスチック繊維で作ることができる。炭素繊維強化ポリマー及びガラス繊維強化ポリマーはアモルファスであってもよい。アモルファス層は、ピックに「靭性」を付与する。それはあらゆる方向に等しい柔軟性を持ち、曲げたときに割れることに抵抗する。アモルファス層は約１ｍｍ乃至約０.４ｍｍの厚さ、好ましくは０.２ｍｍであり、その間の全ての厚さである。
【００６２】
構造アモルファス層：
構造アモルファス層は、２層ピックの１つの層として使用できる層である。黄銅、プラスチックポリマー、ナイロン、ポリオキシメチレンなどの材料が含まれているが、弦と接触すると容易に分解される紙のような材料は含まれていない。炭素繊維強化ポリマー及びガラス繊維強化ポリマーも、構造アモルファス層を形成することができる。ポリオキシメチレンは、摩擦係数が低く、磨耗に抵抗し、吸湿性であるが、吸湿性が軽いので、特に適した構造アモルファス層である。構造化アモルファス層は、約１ｍｍ乃至約０.４ｍｍの厚さ、好ましくは０.２ｍｍであり、その間の全ての厚さである。
【００６３】
尖端コーティング：
尖端コーティングは、尖端及び尖端付近の領域を実質的に覆う層である。チップはコーティング材料に浸漬されてもよい。尖端コーティングは、限定されないが、シリコーン又は充填剤を含む硬質材料などの軟質材料であってもよい。硬質材料には、非限定的に、炭素繊維強化ポリマー又は方向性炭素繊維強化ポリマー、アモルファスファイバーグラス繊維強化ポリマー（例えば、これに限定されるものではないが、細断又は粉砕されたもの）又は方向性繊維ガラス繊維強化ポリマー、ポリウレタン中のグラファイト、又は粉砕金属、金属粉末、又はポリウレタンのようなポリマー中の金属ファイリングがある。チップを硬化させるための例示的な混合物は、Ｊ−Ｂ  Ｗｅｌｄ（登録商標）であり、これは、粉砕金属又は金属粉末を含むエポキシである。それは３９６０ＰＳＩの引張強度を提供する。また、硬質材料を提供するために、カーボンナノチューブ、ビーズ、ガラスビーズ、プラスチックビーズ、及び磁性を付与する鉄材料をプラスチックポリマーに提供することもできる。尖端コーティングは、ピックの残りの部分の長いベクトル層又はアモルファス層又はアモルファス層の組み合わせの柔軟性を保持しながら、ピックの感触及び音の変化をより柔らかく又はより硬くすることを可能にする。尖端コーティングは、尖端部、又は尖端部と尖端部の近傍の本体、又は尖端部と尖端部と中央開口との間の本体に適用される。好ましくは、ピックをコーティングに浸漬することによって適用される。同様に構造アモルファス層と長いベクトル層で作られたピックに適用することができる。
【００６４】
有効厚さ：
ピックの有効厚さは、ピックの柔軟性を含めて、プラスチックのポリマーピックの特性に基づいている。ピックの有効厚さは、長いベクトル層の向きを変更することによって、より柔らかい又はより硬い森を使用することによって変更することができる。ピックの長手方向軸に平行である長いベクトルの向きは、有効厚さをより大きくし、ピックの長手方向軸に垂直な長いベクトルの向きは、ピックの実際の厚さに対して有効な厚さを減少させる。
【発明を実施するための形態】
【００６５】
本技術の開発において、様々な向きで木材ベニアの様々な組合せが使用された。ベニアが一緒に接着された場合、結果として生じるピックは容易に亀裂を生じ、所望の音色を生じないか又は特性の摩耗を生じないことが判明した。ピック構造にアモルファス層を使用すると、これらの欠点が改善され、得られたピックは所望の特性を有した。木材ベニアは、ピックの縦軸に対するそれらの向きに応じて、異なる柔軟性を有することが判明した。非木材ベニアはピックの長手方向軸に対するそれらの配向に依存して異なる柔軟性を有することが判明したので、粒子配向は重要なパラメータであり、これは一般に長いベクトルであることが判明した。様々なアモルファス材料及びベニアの試験は、吸湿性材料の使用が、使用者の指のピックの滑りを低減するさらなる利点を提供することを実証した。非吸湿性材料は、ユーザの指が通常楽器の演奏中に汗を流すときに、ユーザの指から滑り落ちる可能性がある。木材ベニア、ポリオキシメチレン、ポリエチレンテレフタレート、紙材料及びポリ酢酸ビニルは、適切に吸湿性であることが判明した。当業者に知られているように、他の材料も所望の特性を提供することができる。
【００６６】
要約すると、ベニア層は、長いベクトルがピックの長手方向軸に対して長いベクトルがある方向に依存する柔軟性又は剛性をもたらす長いベクトルを有する。それらは吸湿性である。アモルファス層は、ベクトルを持たず、弾力性を提供する。それらは吸湿性である。構造化されたアモルファス層は、耐摩耗性及び磨耗性という付加的な特徴を有する。ベニア層とアモルファス層との組み合わせは、穏やかな又は激しいアタック、所望の音色及び良好な摩耗をもたらす。
【００６７】
全体的に６で参照される楽器用のピックは、図１に示されている。ピック６は、全体的に８で参照される本体と、全体的に１０で参照されるフィンとを有する。本体８は、近位端１２と、第１の縁部１４と、第２の縁部１６とを有する。第１及び第２のエッジ１４，１６は、第１のピック・ポイントである第１の遠位端１８に収束する。近位端１２と第１及び第２の端部１４，１６との間には、大きな半径に湾曲した第１の肩部２０及び第２の肩部２２がある。近位端１２は、湾曲していても直線状であってもよい。第１及び第２の縁部１４，１６は、第１の遠位端１８に向かって僅かに内側に湾曲する。フィン１０は、第１又は第２縁部１４，１６の一方で本体８と連続し、本体８から外側に延びている。フィン１０は、第２のピック・ポイントである第２の遠位端２８に収束する上端２４及び下端２６を有する。
【００６８】
本体８内の中心に位置する開口３４は、角度方向の変化を伴う不規則な周囲３６を有し、その結果、点４２又は爪又はフィンガが側部３８，４０内に延びる。開示された実施形態では、開口３４はメープルリーフを画定する。これには、直角、鋭角及び鈍角を含む複数の方向変化があり、合計２６回の角度変化がある。図２に示すように、中心開口３４は、ピック６を通じて第１の側部３８から第２の側部４０まで延びる。また、図２には、側部２８,３０上の表面輪郭４４が示されている。この不規則な表面は、木目の結果である。
【００６９】
ピック６は、約０．３ｍｍ深さから約３ｍｍ深さまでの均一な厚さであり、その間の全ての厚さである。長さ及び幅の寸法は、約１５×１５ｍｍ又は約４０×４０ｍｍであり、その間の全ての範囲である。開口３４は、不規則であるが、直径が約３乃至約５ｍｍ、直径が約４ｍｍ、直径が約８ｍｍであり、その間の全ての範囲であると測定することができる。
【００７０】
ピック６の深さは、それが所望の柔軟性を提供すると同時に、ストリングを演奏するユーザの力に耐えることを可能にする。中央開口３４はさらに柔軟性に寄与し、その結果得られる柔軟性を提供するよりも若干厚い深さを可能にする。木材の使用はまた、柔軟性にも寄与する。結果は、穏やかなピックアタックをもたらすピック６、合成ピック又はプラスチックポリマーピックよりも大きな音色、良好な摩耗特性をもたらす。
【００７１】
ピック６は、ユーザにとって優れたグリップを提供する。これは、部分的に、不規則な周囲３６を有する中央開口３４の結果である。ユーザの指と親指は、開口内で互いに押し付けて、上グリップの一面を提供することができ、そのため、不規則な周囲に対して、グリップが大幅に強化される。理論に拘束されるものではないが、これは例えば円のような形状に対して大きな周囲３６の結果である。一例として直径８ｍｍを使用すると、周囲の長さは、ピックの最も幅広い点に等しい直径を有すると定義される円形開口の長さの少なくとも約１.２５又は約１.４４倍であることが分かる（周囲について３６．３ｍｍ及び２５.１２ｍｍの円周）。これは、不規則な周囲が、円のような単純な形状よりもはるかに長いエッジを提供し、このエッジがグリップ表面を提供することを意味する。円形の開口又は８ｍｍの直径又は８ｍｍの幅を有する正方形の開口の場合よりも不規則な周囲を有する中央開口の場合、中央開口の面積に対する周辺部の比がそれぞれより高いことをはっきりと見ることができる。
【００７２】
円の円形度は１であり、複雑な形状の円形度は０に近づくことができる。中央開口の円形度は、約０.０乃至約０.６又は約０.１乃至約０.４、又は約０.２乃至約０.３であり、その間の全ての範囲である。
【００７３】
優れたグリップは、複雑な幾何学的形状をもたらす周囲３６の角度方向の変化４２の結果でもあり、それにより把持面を提供する。グリップの他の寄与者は、他のベニアの木目又は長いベクトルの結果である表面輪郭４４である。
【００７４】
図３に示すように、長いベクトル７０は、少なくとも２つの層においてピック６の本体の長手方向軸７２と平行である。したがって、第１のピック・ポイント１８は、第１の接線７４に対して垂直な粒子を有し、第２のピック・ポイントは、第２の接線７６に平行な粒子を有する。これは、第１のピック・ポイント１８が厚さ１ｍｍのピックのフィーリングを提供し、第２のピック・ポイント２８が厚さ０.３ｍｍのピックのフィーリングを提供するように、ピック・ポイントで異なる柔軟性をもたらす。これにより、ユーザは、実質的に一貫した厚さの１つのピックで２つの異なる感触及び音色を提供する２つの異なるピック・ポイントを有することが可能になる。
【００７５】
好ましい実施形態では、ピック６は、例えば、カエデ、トウヒ、シーダー、マホガニー、ローズウッド、サペリ、サクラ、コア、ハン、クルミ、アメリカボダイ樹、カウリマツ、又はポプラと１つ以上の層のアモルファス材料とを含む。他の実施形態では、例えば、炭素繊維強化ポリマー又はガラス繊維強化ポリマーなどの他の材料、本質的に、材料の剛性及び柔軟性に影響を与える長いベクトルを定義することができる適切な柔軟性のある強力な材料柔軟性につながる長いベクトルの整列と、互いに垂直な長いベクトルの配置は剛性をもたらす。
【００７６】
一実施形態では、図４に示すように、ピック６は５層ピック６である。好ましい実施形態では、厚さ約０.２５ｍｍの複合繊維紙であって、熱硬化性の乾燥フィルム接着剤８４が塗布された非常に薄い裏当て８２を有する紙材料８０の２つの層からなり、各層は、クルミ・ベニアの２つの層、合計３層のクルミ突き板８５，８６，８８のためのものである。クルミ・ベニア８５，８６，８８は、支持体８２を含む厚さ約０.２ｍｍ乃至約０.３０ｍｍの間にある。図３を参照すると、クルミ・ベニアの外側の２つの層（上側層８５及び下側層８６）は、長いベクトル７０がピック６の本体の長手方向軸線７２に平行に配向され、したがって、第１の接線７４に垂直である。クルミ・ベニアの内側層８８は、ピック本体の長手方向軸に垂直な長いベクトルで配向され、したがって、粒子は、第１の接線７４と平行に配向される。紙材料８０はアモルファス材料である。上側の層８５及び下側の層８６の長いベクトルの整列は、ピックの柔軟性に寄与する。紙材と木材ベニアの組み合わせにより、ピックの柔軟性が大幅に向上し、穏やかなアタックがもたらされる。特に、紙層８０はピック６に弾力性を付加する。内層８８は剛性を付加する。ピック６は、フィン１０を有していてもよく、フィン１０を有していなくてもよく、換言すれば、本体８のみであってもよい。本体のみが存在する場合、長いベクトルの方向は、ピックが本体であるため、ピックの縦軸に対して定義される。
【００７７】
別の実施形態では、図５に示すように、ピック６は、２ｍｍのプラスチックポリマー層９０の１つの層からなり、これは好ましくは、熱硬化性の乾燥フィルム接着剤９４が塗布されたポリエチレンテレフタレート層９０である。この層は、カエデ・ベニアの２つの層９６，９７の間に合計３層の間に挟まれている。このベニアは厚さ約０.２８ｍｍで、＃１６０支持体９５である。カエデのベニアは耐スクラッチオーバーレイ９８を有する。
【００７８】
図３を参照すると、カエデ・ベニアの上側層９６と下側層９７の両方が、長いベクトル７０がピック６の本体の長手方向軸７２に平行に配向されているので、粒子は第１の接線７４に対して垂直に配向されている。粒子が平行であるので、ピックは可撓である。ポリエチレンテレフタレート層９０はアモルファス材料である。プラスチックポリマー層９０は、ピック（プラスチック飲料ボトルに使用されるものと同じ材料であり、ひび割れに非常に耐性がある）に弾力性を加える。したがって、プラスチックポリマーと木材ベニアの組み合わせは、ピックの柔軟性を高め、穏やかなアタックを提供する。ピック６は、フィン１０を有していてもよく、フィン１０を有していなくてもよく、換言すれば、本体８のみであってもよい。本体のみが存在する場合、長いベクトルの方向は、ピックが本体であるため、ピックの縦軸に対して規定される。場合によっては、長いベクトルを縦軸に垂直な軸（これを水平軸と称することができる）と整列させることが好ましいことがある。上述したように、ピックが全体にわたって実質的に同等の厚さであるにもかかわらず、横軸に平行な粒子を有するピックの感触は、より薄いピックである。それはまた、弦を捉え、別の音色と感じを加える粗い縁を与える。
【００７９】
さらに別の実施形態では、図６に示すように、ピック６は、厚さ約０.２５ｍｍのポリ酢酸ビニル層１００からなり、これは異なる可撓性を有する２枚の木製ベニア層１０２,１０４の間に挟まれており、これらは厚さ約０．２ｍｍと厚さ約１ｍｍとの間であり、合計３層である。２つの層は、例えば、ハン（ａｌｄｅｒ）及びカエデ、又はカバノキ及びカエデ、又はブナ及びハンであり得るが、これらに限定されない。理論に縛られることなく、異なる密度は異なる柔軟性をもたらす。木材ベニアの上層１０２と下層１０４の両方は、長いベクトル７０がピック６の本体の縦軸７２に平行に配向されているので、粒子は第１の接線７４に対して垂直に配向される。粒子が平行であるので、ピックは可撓である。ポリ酢酸ビニル層１００はアモルファス材料である。このレイヤーはピックの弾力性を高める。層１００と木製ベニアとの組み合わせは、非常に柔軟なピックをもたらす。異なる可撓性の利点は、ピック６の第１側部３８が例えば強い下降ストロークを生じさせる一方で、ピックの第２側部４０が例えば左のアップストロークを生成できることである。したがって、ピック６がどのように保持され、使用されるかに応じて、それは穏やかなアタック又は激しいアタックを提供することができる。ピック６は、フィン１０を有していてもよく、フィン１０を有していなくてもよく、換言すれば、本体８のみであってもよい。本体のみが存在する場合、長いベクトルの方向は、ピックが本体であるため、ピックの縦軸に対して規定される。場合によっては、長いベクトルを縦軸に垂直な軸（これを水平軸と称することができる）と整列させることが好ましいことがある。上述したように、ピックが全体にわたって実質的に同等の厚さであるにも関わらず、横軸に平行な粒子を有するピックの感触は、より薄いピックである。それはまた、弦を捉え、別の音色と感じを加える粗いエッジを与える。
【００８０】
さらに別の実施形態では、図７に示すように、ピック６は２層ピックである。アモルファス層は、構造化アモルファス層１２０、好ましくはポリオキシメチレン又はナイロンである。厚さは約０.２ｍｍ乃至約１.５ｍｍである。接着層１２２は、構造化アモルファス層を木材ベニア層１２４に取り付ける。ウッドベニア層１２４は、ピック６の長手方向軸線７２に平行な長いベクトル７０を有する。あるいは、長いベクトル７０は、ピック６の縦軸７２に対して垂直である。層１２０と木材ベニア１２４との組み合わせは、良好な弾力性を有する適度に柔軟なピックをもたらす。音色と同様に着用感も良好である。ウッドベニアは、例えば、ハン、カエデ、カバノキ、クルミ又はブナであり得るが、これらに限定されない。厚さは約０.２ｍｍ乃至約２.７ｍｍである。
【００８１】
さらに別の実施形態では、図８に示すように、ピック６は３層ピックである。上部又は第１の構造化アモルファス層１３０及び下部又は第２の構造化アモルファス層１３２が存在する。それらは、好ましくはポリオキシメチレン又はナイロンであり、約０.２ｍｍ乃至約０.５ｍｍの厚さである。接着剤層１３４は、構造化アモルファス層を木材ベニア層１３６に取り付ける。木材ベニア層１３６は、ピック６の長手方向軸７２に平行な長いベクトル７０を有する。層の組み合わせは、柔軟性に制限がある比較的弾力性のあるピックをもたらす。音色と同様に着用感も良好である。木材ベニアは、例えば、ハン、カエデ、カバノキ、クルミ又はブナであり得るが、これらに限定されない厚さは約０.２ｍｍ乃至約０.６ｍｍの間である。或いは、長いベクトル７０は、ピック６の縦軸７２に対して垂直である。これにより、より柔軟な選択肢が提供される。
【００８２】
別の実施形態では、図９に示すように、異なるピック形状が提供される。このピック６は、長いベクトル層とアモルファス層との組み合わせと、上述した長いベクトル層及び構造化アモルファス層の何れかを用いて製造することができる。
【００８３】
全体的に２０６で参照されるピックは、近位端２１２、第１の端２１４及び第２の端２１６を有する一般に２０８と呼ばれる本体を有する。第１及び第２のエッジ２１４，２１６は、ピック・ポイント又はチップである遠位端２１８に収束する。近位端２１２と第１及び第２の端部２１４，２１６との間には、大きな半径に湾曲した第１の肩部２２０及び第２の肩部２２２がある。近位端２１２は、湾曲していても直線状であってもよい。第１及び第２の縁２１４，２１６は、第１の遠位端２１８に向かって僅かに内側に湾曲する。
【００８４】
本体２０８内の中心に位置する開口２３４は、不規則な周囲２３６を有し、角方向の変化が生じ、点２４２又はジャグ又はフィンガが側部２３８，２４０内に延びる。開示された実施形態では、開口２３４はメープルリーフを画定する。これには、直角、鋭角及び鈍角を含む複数の方向変化があり、合計２６回の角度変化がある。
【００８５】
図１０に示すように、中心開口２３４は、ピック２０６を貫通して第１の側部２３８から第２の側部２４０まで延びる。図１０には、側部２２８，２３０上の表面輪郭２４４も示されている。この不規則な表面は、木目の結果である。スロット２４６は、近位端２１２からピック２０６の本体２０８を通って延びている。これは、近位端２１２の近傍の小さな開口２５０で終結する。スロット２４６及び開口２５０は、ストリングを受け入れるように寸法決めされている。これにより、使用していないときにピック２０６をストリング上に保持することが可能になる。開口２５０及びスロット２４６は、ピック２０６の完全性に影響しないように、ピック２０６によって作られた音に影響を与えないように、小さくされている。
【００８６】
図９及び図１０に示すように、尖端１８及び隣接する表面は、尖端コーティング２５２で被覆されている。尖端コーティング２５２は、尖端１８及び尖端１８近傍の領域を実質的に覆う層である。一実施形態では、尖端コーティング２５２は、尖端１８と中央開口２３４との間の尖端１８及び本体２０８に適用される。チップ１８又は尖端１８と、尖端１８と中央開口２３４との間の本体２０８は、コーティング材料に浸漬されてもよい。尖端コーティング１８は、軟質材料とすることができ、これは例えばシリコーンであるが、これに限定されるものではなく、或いは硬質材料とすることができ、これは例えばアモルファスカーボンファイバーグラス強化ポリマー、アモルファスファイバー強化ポリマー、ポリウレタン中のグラファイト、又はポリウレタンのようなポリマー中の破砕金属又は粉末状の金属又は金属のファイリングであるが、これらに限定されるものではない。チップを硬化するための例示的な組成物は、Ｊ−Ｂ  Ｗｅｌｄ（登録商標）であり、これは、粉砕金属又は金属粉末を含むエポキシである。それは３９６０ＰＳＩの引張強度を提供する。尖端コーティング２５２は、ピック２０６の感触及び音の変化をより柔らかく又はより硬くする一方で、ピックの残りの部分における１つ又は複数の長いベクトル層及び１つ又は複数のアモルファス層の組み合わせの柔軟性を保持する。これは同様に構造アモルファス層と長いベクトル層で作られたピックに適用することができる。同様に、本明細書に記載の全ての実施形態の１つ以上のチップをコーティングするために使用することができる。
【００８７】
ピック６，２０６は、有効な厚さが０.３ｍｍ、０.４６ｍｍ、０.６ｍｍ、０.８ｍｍ、１.０ｍｍ、１.２ｍｍ、及び０.２ｍｍ単位で増大して約３ｍｍまでであることが好ましい。０.６ｍｍのピックは、長いベクトル層の向きを変えることによって、０.４６ｍｍ又は０.６ｍｍの有効厚さを有することができる。長いベクトル層の向きが縦軸７２に平行である場合、ピック６は有効厚さと同じか又は同様の厚さを有する。長いベクトル層の向きが縦軸７２に対して垂直である場合、ピック６は実際の厚さよりも小さい有効厚さを有する。
【００８８】
全体的に２５４で参照される販売時点管理カードが図１１に示されている。販売時点管理カードは、４つのピック６を保持し、各ピック６は、各ピック６とカード本体２６２との間に延在して取り付けられた小さなステム２５８上に保持される。したがって、カード本体２６２は、ピック６が作られるのと同じ材料で作られる。さらに、カード本体２６２内の層の向きは、ピック６内の層の向きと同じである。吊るし開口２６０により、カード２５４を陳列棚に掛けることができる。各ピック６は、小ステム２５８によってのみ遮断される切り欠き２５６によってカード本体から分離される。切り欠き２５６は、好ましくはレーザカッターで切断される。
【００８９】
本明細書に記載された例示的な実施形態の利点は、本明細書で特に指摘された手段及び組み合わせによって実現及び達成され得る。前述の一般的な説明及び以下の詳細な説明は例示的及び説明的なものにすぎず、以下の特許請求の範囲を限定するものではないことを理解されたい。例示的な実施形態を詳細に説明してきたが、前述の説明は全ての局面で例示的であり、限定的ではない。例示的な実施形態の範囲から逸脱することなく、多くの他の変更及び変形を考案することができることが理解される。
【図１】
2018502338.tif 000003
【図２】
2018502338.tif 000004
【図３】
2018502338.tif 000005
【図４】
2018502338.tif 000006
【図５】
2018502338.tif 000007
【図６】
2018502338.tif 000008
【図７】
2018502338.tif 000009
【図８】
2018502338.tif 000010
【図９】
2018502338.tif 000011
【図１０】
2018502338.tif 000012
【図１１】
2018502338.tif 000013
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
楽器と共に使用するためのピックであって、少なくとも３つの層、すなわち長いベクトルを有する上層、長いベクトルを有する下層、及び少なくとも１つのアモルファス層を備え、前記長いベクトルは前記ピックの長手方向軸に整合されているか、又は前記ピックの前記長手方向軸に垂直にされており、前記上層と前記下層とは、少なくとも１つのアモルファス層を挟んで、このアモルファス層に付着しているピック。
【請求項２】
請求項１のピックにおいて、前記上層と前記下層は、少なくとも１つの木材のベニアであり、各木材は粒子を有し、この粒子は前記長いベクトルを規定するピック。
【請求項３】
請求項１又は２のピックにおいて、前記アモルファス層は、プラスチックポリマー又は紙材からなるピック。 
【請求項４】
請求項２又は３のピックにおいて、木材ベニアの内層と、前記上層と前記内層と前記下層と前記内層との間に配置された２つのアモルファス層とを更に備えるピック。
【請求項５】
請求項１乃至４の何れか一項に記載のピックにおいて、前記長いベクトルは前記ピックの縦軸と整列しているピック。
【請求項６】
請求項１乃至４の何れか一項に記載のピックにおいて、前記長いベクトルは、前記ピックの縦軸に対して垂直であるピック。 
【請求項７】
請求項１乃至６の何れか一項に記載のピックにおいて、前記上層と前記下層とは、異なる可撓性を有する異なる木材であるピック。
【請求項８】
請求項１乃至６の何れか一項に記載のピックにおいて、前記上層及び前記下層がカエデであるピック。 
【請求項９】
請求項１乃至６の何れか一項に記載のピックにおいて、前記上層、前記内層及び前記下層がクルミであるピック。 
【請求項１０】
請求項１乃至９の何れか一項に記載のピックにおいて、少なくとも１つのアモルファス層が、合成繊維紙であるピック。
【請求項１１】
請求項１乃至９の何れか一項に記載のピックにおいて、少なくとも１つのアモルファス層がポリエチレンテレフタレート層であるピック。
【請求項１２】
請求項１乃至９の何れか一項に記載のピックにおいて、少なくとも１つのアモルファス層がポリ酢酸ビニル層であるピック。
【請求項１３】
請求項１乃至１２の何れか一項に記載のピックにおいて、前記ピックは、ｉ）本体を備え、この本体は、遠位端と、近位端と、第１の縁と、第２の縁とを含み、第１と第２の縁とは前記前記遠位端に収束して第１のピック・ポイントを規定し、前記本体はさらに第１の側部と第２の側部とを含み、前記ピックはさらにｉｉ）フィンを備え、このフィンは前記本体に連続して第１の縁から外側へ延出して、第１のピック・ポイントに垂直な第２のピック・ポイントを規定するピック。
【請求項１４】
請求項１乃至１２の何れか一項に記載のピックにおいて、前記ピックは、ｉ）本体を備え、この本体は、遠位端と、近位端と、第１の縁と、第２の縁とを含み、第１と第２の縁とは前記前記遠位端に収束してピック・ポイントを規定し、前記本体はさらに第１の側部と第２の側部とを含むピック。
【請求項１５】
請求項１２又は１３のピックにおいて、前記ピックの前記本体における中央開口をさらに含み、この中央開口は第１の側部から第２の側部へ前記本体を通じて延出し、かつ、不規則な外周を有するピック。
【請求項１６】
請求項１３乃至１５の何れか一項に記載のピックにおいて、スロットと、前記近位端の近傍における開口とをさらに含み、前記スロットは前記近位端から前記開口へ延出して前記開口へ連続するピック。
【請求項１７】
請求項１３乃至１６の何れか一項に記載のピックにおいて、硬質又は軟質の尖端コーティングをさらに含むピック。 
【請求項１８】
請求項１７のピックにおいて、前記硬質コーティングは、少なくとも１つの金属とプラスチックポリマーとの混合物を含むピック。
【請求項１９】
請求項１８のピックにおいて、前記少なくとも１つの金属はグラファイトであるピック。
【請求項２０】
請求項１８のピックにおいて、前記軟質コーティングはシリコーンであるピック。
【請求項２１】
楽器と共に使用するためのピックであって、前記ピックは、本体を備え、この本体は、遠位端と、近位端と、第１の縁と、第２の縁とを含み、その第１の縁と第２の縁とは前記遠位端へ収束して、ピック・ポイントを規定し、前記本体はさらに第１の側部と第２の側部とを含むピックにおいて、前記ピックは、少なくとも２つのベニア層と、この少なくとも２つのベニア層の間に介在されてこれらに接着された少なくとも１つのアモルファス層とを含み、前記ベニアの各々の層は、長いベクトルを有し、少なくとも１つの長いベクトルは、前記本体の縦軸に平行に整列していることを特徴とするピック。
【請求項２２】
請求項２１のピックにおいて、前記ピックの前記本体における中央開口をさらに含み、この中央開口は、前記本体を通じて第１の側部から第２の側部へ延出し、かつ、不規則な外周を有するピック。
【請求項２３】
請求項２１又は２２のピックにおいて、スロットと、前記近位端の近傍における開口とをさらに含み、前記スロットは前記近位端から前記開口へ延出して前記開口へ連続するピック。
【請求項２４】
請求項２１乃至２３の何れか一項に記載のピックにおいて、５つの層からなり、これは長いベクトルを有する上層と、長いベクトルを有する下層と、長いベクトルを有する内層と、第１のアモルファス層と第２のアモルファス層とであり、その２つのアモルファス層は、前記上、中間及び下層の間に配置されているピック。
【請求項２５】
請求項２１乃至２４の何れか一項に記載のピックにおいて、前記近位端の近傍に、スロットと、前記近位端から前記開口まで延び、前記開口と連続する開口とをさらに備えるピック。
【請求項２６】
請求項２１乃至２５の何れか一項に記載のピックにおいて、前記内層、前記上層及び前記下層が、クルミのベニアであるピック。 
【請求項２７】
請求項２１乃至２６の何れか一項に記載のピックにおいて、前記アモルファス層が紙材料であるピック。
【請求項２８】
請求項２１乃至２７の何れか一項に記載のピックにおいて、硬質又は軟質の尖端コーティングをさらに含むピック。
【請求項２９】
請求項２８のピックにおいて、前記硬質コーティングは、少なくとも１つの金属とプラスチックポリマーとの混合物を含むピック。
【請求項３０】
請求項２９のピックにおいて、前記少なくとも１つの金属はグラファイトであるピック。
【請求項３１】
請求項２８のピックにおいて、前記軟質コーティングはシリコーンであるピック。
【請求項３２】
楽器と共に使用するためのピックであって、このピックは、長いベクトルを有する木材ベニア層と、この木材ベニア層に接着された第１の構造化アモルファス層とを備え、前記長いベクトルは前記ピックの長手軸に整列するか又は前記ピックの前記長手軸に垂直であるピック。
【請求項３３】
請求項３２のピックにおいて、第１の構造化アモルファス層は、プラスチックポリマーを含むピック。
【請求項３４】
請求項３３のピックにおいて、前記プラスチックポリマーは、ポリオキシメチレンであるピック。
【請求項３５】
請求項３２乃至３４の何れか一項に記載のピックにおいて、第２の構造化アモルファス層をさらに備え、第１と第２との構造化アモルファス層は前記木材ベニア層を挟んでこれに接着されているピック。
【請求項３６】
請求項３５のピックにおいて、第２の構造化アモルファス層は、プラスチックポリマーを含むピック。 
【請求項３７】
請求項３６のピックにおいて、前記プラスチックポリマーがポリオキシメチレンであるピック。
【請求項３８】
販売時点管理カードであって、この販売時点管理カードは、少なくとも１つの木製ベニア層と、この木製ベニア層に接着された少なくとも１つのアモルファス層とを備え、前記カードは、カード本体と、複数のピックと、複数のステムとを含み、各々のピックが前記カード本体にステムにより保持され、各々のピックが、前記ステムによって遮断される切り欠きにより前記カード本体から離隔される販売時点管理カード。 
【請求項３９】
請求項３８の販売時点管理カードにおいて、請求項１乃至３７の何れか一項に記載のピックを含む販売時点管理カード。
【国際調査報告】
2018502338.tif 000014
2018502338.tif 000015